(57)【特許請求の範囲】
【請求項１】
メガネのテンプル又はモダンに嵌め付けられるブッシングと、前記ブッシングに巻装されるネジリコイルバネとから成り、前記ネジリコイルバネの一端部に骨伝導デバイスが取り付けられ、前記ネジリコイルバネの他端部にパッドが設置され、前記骨伝導デバイスと前記パッドは、使用時において共に前記ネジリコイルバネによって顔面側に付勢されることを特徴とする骨伝導デバイスのメガネへの取付構造。
【請求項２】
メガネのテンプル又はモダンに嵌め付けられるブッシングと、前記ブッシングに巻装されるネジリコイルバネとから成り、前記ネジリコイルバネの一端部に骨伝導デバイスが取り付けられ、前記ネジリコイルバネの他端部は、前記モダンに沿ってその先端部にまで延ばされてそこに止め付けられ、前記骨伝導デバイスは、使用時において前記ネジリコイルバネによって顔面側に付勢されることを特徴とする骨伝導デバイスのメガネへの取付構造。
【請求項３】
前記ブッシングは全長に亘るスリットを有していて、前記スリットから拡開することによって前記テンプル又はモダンの任意の個所に取付可能である請求項１又は２に記載の骨伝導デバイスのメガネへの取付構造。
【請求項４】
前記ブッシングは、少なくともその一端側にテーパ面を有していて、前記テーパ面側から前記ネジリコイルバネ内に嵌入される請求項１乃至３のいずれかに記載の骨伝導デバイスのメガネへの取付構造。
【請求項５】
前記ブッシングは、一端側に抜止めフランジを有している請求項１乃至４のいずれかに記載の骨伝導デバイスのメガネへの取付構造。
【請求項６】
前記骨伝導デバイスは、前記ネジリコイルバネの一端部に、垂直方向に回動可能に取り付けられる請求項１乃至５のいずれかに記載の骨伝導デバイスのメガネへの取付構造。
【請求項７】
前記ネジリコイルバネは、樹脂コーティングされている請求項１乃至６のいずれかに記載の骨伝導デバイスのメガネへの取付構造。
【発明の詳細な説明】
【技術分野】
【０００１】
本発明は骨伝導デバイスのメガネへの取付構造、より詳細には、骨伝導スピーカ、骨伝導マイクロホン等の骨伝導デバイスを用いる通信機器や音響機器において、当該骨伝導デバイスをメガネに装着して用いる場合における、当該骨伝導デバイスのメガネへの取付構造に関するものである。
【背景技術】
【０００２】
受話装置として一般に用いられているイヤホンは、音圧スピーカから発生される音を空気振動によって人間の鼓膜へ伝えるもので、先端部が外耳道内に挿入され、外耳道を塞いだ状態で使用される。【０００３】
上記のようなタイプのイヤホンの使用時には、外耳道が閉塞されるために周囲の音が聞き取り難くなり、車両の運転中に危険が伴ったり、会話の際に無意識に声が大きくなったりしてしまうといった不都合がある。また、高温多湿の環境では、外耳道内が蒸れるために不快感を伴い、衛生面においても好ましくない。【０００４】
外耳道を塞がずに音を聞く手段として、骨伝導スピーカを用いた受話装置がある。それには、骨伝導スピーカを耳介の一部を挟持させて取り付けるタイプ（特開２００１−３２０７９０号公報等）、あるいは、頭頂又は首に回るバンドに取り付けるタイプ（特許第３２０７１５８号公報等）等がある。このようなタイプの骨伝導スピーカを用いた受話装置においては、メガネ着用者が使用する場合、骨伝導スピーカがメガネのつるのテンプルやモダン（セル先）に接触して違和感を覚えたり、最悪の場合には、メガネがズレたりして同時に使用することさえ困難になることもある。【０００５】
そこで、メガネ着用者を対象とした受話装置として、特開２００５−１５１２９２号公報（特許文献３）のように、骨伝導スピーカをメガネのつるに固定するものが提案されている。【０００６】
この特許文献３に開示されるようなタイプのものは、メガネのつるの先端に骨伝導スピーカを取り付けるか、又はメガネのつるの一部を骨伝導スピーカとするものであり、前者の場合は、モダンの形状によっては、骨伝導スピーカの振動面が所望の場所に当接するとは限らず、激しい動きによって外れてしまう可能性も高く、実用的ではないという問題がある。また、後者の場合は、メガネのつるの一部を骨伝導スピーカにすること自体特殊な構造となるために高コストとなり、メガネ自体のデザインも制限を受けるという問題がある。【０００７】
また、基本的に骨伝導スピーカと同じ構造の骨伝導マイクロホンをメガネに装着して使用する場合にも、同様の問題がある。【０００８】
【特許文献１】特開２００１−３２０７９０号公報
【特許文献２】特許第３２０７１５８号公報
【特許文献３】特開２００５−１５１２９２号公報
【特許文献２】特許第３５５６１５１号公報
【発明の開示】
【発明が解決しようとする課題】
【０００９】
本発明は、上述したような、骨伝導デバイスを用いた送受話装置等の通信機器や音響機器をメガネ着用者が使用する場合における問題点に鑑みてなされたもので、骨伝導デバイスを用いた通信機器あるいは音響機器における当該デバイスを、既存のメガネのテンプルやモダンに、その形状を問わず簡単に装着して使用することができ、使用中に違和感を覚えることもない骨伝導デバイスのメガネへの取付構造を提供することを課題とする。
【課題を解決するための手段】
【００１０】
上記課題を解決するための請求項１に記載の発明は、メガネのテンプル又はモダンに嵌め付けられるブッシングと、前記ブッシングに巻装されるネジリコイルバネとから成り、前記ネジリコイルバネの一端部に骨伝導デバイスが取り付けられ、前記ネジリコイルバネの他端部にパッドが設置され、前記骨伝導デバイスと前記パッドは、使用時において共に前記ネジリコイルバネによって顔面側に付勢されることを特徴とする骨伝導デバイスのメガネへの取付構造である。【００１１】
上記課題を解決するための請求項２に記載の発明は、メガネのテンプル又はモダンに嵌め付けられるブッシングと、前記ブッシングに巻装されるネジリコイルバネとから成り、前記ネジリコイルバネの一端部に骨伝導デバイスが取り付けられ、前記ネジリコイルバネの他端部は、前記モダンに沿ってその先端部にまで延ばされてそこに止め付けられ、前記骨伝導デバイスは、使用時において前記ネジリコイルバネによって顔面側に付勢されることを特徴とする骨伝導デバイスのメガネへの取付構造である。【００１２】
好ましくは、前記ブッシングは全長に亘るスリットを有していて、前記スリットから拡開することによって前記テンプル又はモダンの任意の個所に取付可能であり、また、前記ブッシングは少なくともその一端側にテーパ面を有していて、前記テーパ面側から前記ネジリコイルバネ内に嵌入される。【００１３】
更に好ましくは、前記骨伝導デバイスは、前記ネジリコイルバネの一端部に、垂直方向に回動可能に取り付けられ、また、前記ネジリコイルバネは、樹脂コーティングされる。
【発明の効果】
【００１４】
本発明は上記構成であり、シンプルで軽量な構造であって、骨伝導デバイスをメガネのモダンやテンプルに直接且つ簡単に取り付けて使用することができ、しかも、メガネのテンプルやモダンの形状に関わらず、既存のメガネに取付可能で汎用性が高く、骨伝導デバイスは、ネジリコイルバネにより、例えば耳珠より少し前方の頭骨部分に接触するように常時付勢されるため、骨伝導デバイスの特性を損なうことなく明瞭に送受信できるといった効果がある。
【発明を実施するための最良の形態】
【００１５】
次に、本発明を実施するための最良の形態につき、添付図面に依拠して説明する。以下、骨伝導デバイスとして骨伝導スピーカについて説明するが、骨伝導マイクロホンの場合にも、同様の取付構造となる。【００１６】
本発明に係る骨伝導スピーカのメガネへの取付構造は、メガネのテンプル１１又はモダン１２（両者に跨がる場合も含む）に嵌め付けられるブッシング１と、ブッシング１に巻装されるネジリコイルバネ２とから成り、骨伝導スピーカ３はネジリコイルバネ２の一端部に取り付けられる。ネジリコイルバネ２は、見栄えをよくすると共に、皮膚に与える影響を考慮して、適宜樹脂コーティングされる。【００１７】
図１乃至図４に示される実施形態においては、ネジリコイルバネ２の骨伝導スピーカ３取付側と反対側の端部に、パッド４が取り付けられる。パッド４は、バネ端部にかかる荷重を分散させ、以てバネ端部を受けるこめかみの少し後ろの部分に当該荷重が集中し、その部に痛みが発生することを防止する役目を果たす。パッド４の取り付けは、例えば、パッド４の側面に細い縦孔を設け、そこにバネ端部を差し込む方法による。
【００１８】
ブッシング１は、ゴム又はある程度の弾性を有するプラスチック製で、適度に伸縮してメガネのテンプル１１又はモダン１２を密着状態に挿入し得る、単なる円筒形状のものであってもよいが、装着をより簡便にするために、好ましくは、図示したように、全長に亘るスリット５を設けた円筒状のものとする。この構成の場合は、ブッシング１をスリット５から拡開することにより、テンプル１１又はモダン１２の任意の個所に簡単に嵌め付けることが可能となる。そして、ブッシング１は、その復元力によってテンプル１１又はモダン１２を確固と抱持し、移動しにくい状態となる。【００１９】
ブッシング１にはネジリコイルバネ２が巻装されるが、そのために、コイル部２ａにテンプル１１を挿入した状態のネジリコイルバネ２をブッシング１に向けて移動させて、コイル部２ａ内にブッシング１を収める操作を行なう（図２）。この操作を容易にするために、ブッシング１の端面にテーパ面６を設けることが好ましい。テーパ面６はブッシング１の両端に設けてもよいが、通例、図示したように一端側にのみ設け、他端側には抜止めフランジ７を設けることとする。【００２０】
ブッシング１のコイル部２ａ内への挿入は、モダン１２側から行なうこととしてもよいし（図１の実線）、フレーム側から行なうこととしてもよい（図１の仮想線）。【００２１】
ネジリコイルバネ２の一端（装着時に下向きとなる側）には、骨伝導スピーカ３が取り付けられる。図３及び図４はその取付方法の一例を示すもので、スピーカケース８の外側面に軸筒９が形成され、そこに、中空軸１０が回転可能に挿入される。中空軸１０は、その挿入端が軸筒９から少し露出するような長さとされ、その軸筒９からの露出部分の外周面に周溝１１が形成される。【００２２】
ネジリコイルバネ２の先端部には、折曲部１３aを介して水平方向に延びる軸部１３が形成され、折曲部１３aから軸部１３にかかる部分が、軸部１３の先端を突出させた状態にて、回り止め部材１４内に収装される。回り止め部材１４には、折曲部１３aから軸部１３にかかる部分を上方から収めるための、上面から一側面に抜ける収装部１５が形成される。この収装部１５の側面部分は若干突出状態にされ、その突出部内面に、中空軸１０の先端部の周溝１７に係合する係止環１６が形成される。
【００２３】
取り付けに当ってはバネ端の折曲部１３aから軸部１３にかかる部分を上方から回り止め部材１４の収装部１５内に納め、そこから突出することになる軸部１３の先端部を、軸筒９から露出している中空軸１０の中空部内に挿入していく。そして、中空軸１０の先端を係止環１６内に圧入し、係止環１６を周溝１７に喰い付かせて係止させる。
【００２４】
かくしてスピーカケース８は、バネ端に支持され、且つ、中空軸１０を軸にして回動可能となる。なお、このようにスピーカケース８を回動可能にするのは、その振動面が、各使用者の顔面の形状になじんで面状に密着するようにするためであるので、その回動範囲は少量で差し支えなく、むしろその動きを制限した方が安定する。【００２５】
そこで、その回動範囲を規制するために回り止め部材１４の軸筒９の端面当接部にストッパー１８を設け、軸筒９の端面に、ストッパー１８を受け入れる凹部１９を設けることが好ましい。この場合、ストッパー１８が凹部１９の両端面に当たることにより、回り止め部材１４に対する軸筒９、即ち、スピーカケース８の回動範囲が規制される。なお、図４では説明の便宜上、ストッパー１８と凹部１９を外表面側に示してあるが、通例、目立たないようにするために、これらは内方に配置される（図３参照）。【００２６】
２０は、骨伝導スピーカ３の本体からスピーカケース８外に出されたリード線で、その先端は、通信用機器を内蔵した本体２１に接続される。本体２１は、例えば、首から下げるペンダント仕様にすることができ、あるいは、ポケットにクリップ止め又はピン止めするブローチ仕様にすることができる。本体２１は、各種音源機器と無線接続される。【００２７】
この実施形態においては、ネジリコイルバネ２の反発力がその両端が開く方向に作用し、以て、使用時にスピーカケース８が耳珠の少し前方部分に当たって押されても、反対側バネ端が、パッド４を介して頭骨に押さえ止められているため、スピーカケース８は逃げることなく、適圧にて顔面に密着し続け、骨伝導スピーカ３を介しての良好な送受信が可能となる。【００２８】
図５に示す実施形態は、上記実施形態におけるパッドを用いず、当該バネ端２ｂをモダン１２に沿ってその先端部にまで延ばし適宜手段、例えば、当該先端部に巻き付けたり、そこに設けた穴に掛止めたりして固定する。その他の構成は、上記実施形態に準ずる。【００２９】
この実施形態の場合は、回り止め機能部、即ち、モダン１２と一体となったバネ端２ｂ部分が耳の後ろに隠れるため、一層シンプルで見た目がすっきりとする。また、上記実施形態同様に、使用時にスピーカケース８が押されても、反対側のバネ端２ｂがモダン１２に確固と固定されているため、骨伝導スピーカ３の顔面に対する適圧にての密着性は失われない。【００３０】
このように、本発明に係る骨伝導デバイスのメガネへの取付構造は、構成がシンプルで取り扱いやすく、既存の殆どのメガネについて使用可能で装着時に余り目立たず、違和感なく使用し得るものである。しかも、ネジリコイルバネ２の作用で、骨伝導デバイスが顔面に対して適圧且つ、良好に密着するので、使用感もよい。【００３１】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３２】
【図１】本発明の一実施形態の組立て前の斜視図である。
【図２】本発明の一実施形態の組立状態を示す斜視図である。
【図３】本発明の一実施形態の骨伝導スピーカ取付部の構成を示す斜視図である。
【図４】本発明の一実施形態の骨伝導スピーカ取付部の分解斜視図である。
【図５】本発明の他の実施形態の組立状態を示す斜視図である。
【図１】
0004740317.tif 000002
【図２】
0004740317.tif 000003
【図５】
0004740317.tif 000004
【図３】
0004740317.tif 000005
【図４】
0004740317.tif 000006